(57)【要約】  カートリッジの前方部分におけるガードと、カートリッジの後方部分におけるキャップと、ガードとキャップとの間に位置する少なくとも１つのブレードと、上面及び対向する下面と、カートリッジ内で上面に位置する潤滑部材と、を含むカミソリカートリッジ。潤滑部材は、可視表面と不可視表面とを伴う外面を有している。印刷された支持構造が潤滑部材の外面上に提供される。印刷された支持構造は外面の一部を覆って潤滑部材に対する構造的完全性を提供する。
2018501014.tif 000002
【特許請求の範囲】
【請求項１】
カミソリカートリッジであって、
ａ．前記カートリッジの前方部分におけるガードと、前記カートリッジの後方部分におけるキャップと、前記ガードと前記キャップとの間に位置付けられる少なくとも１つのブレードと、上面と、前記上面に位置付けられる潤滑部材であって、外面を含み、前記外面が可視表面と不可視表面とを含む潤滑部材と、
ｂ．前記潤滑部材上の印刷された支持構造であって、前記潤滑部材の前記外面の一部分を覆って前記潤滑部材に対する構造的完全性を提供する印刷された支持構造と、を含むカミソリカートリッジ。
【請求項２】
前記印刷された支持構造が前記不可視表面上に印刷されている、請求項１に記載のカミソリカートリッジ。
【請求項３】
前記印刷された支持構造が前記可視表面上に印刷されている、請求項１又は２に記載のカミソリカートリッジ。
【請求項４】
前記潤滑部材が前記キャップ上に位置付けられる、請求項１から３のいずれか一項に記載のカミソリカートリッジ。
【請求項５】
前記潤滑部材が前記ガード上に位置付けられる、請求項１から４のいずれか一項に記載のカミソリカートリッジ。
【請求項６】
前記潤滑部材が前記ブレードを囲むリングである、請求項１から３のいずれか一項に記載のカミソリカートリッジ。
【請求項７】
前記印刷された支持構造がパターンの形態である、請求項１〜６のいずれか一項に記載のカミソリカートリッジ。
【請求項８】
前記印刷された支持構造が複数の印刷された液滴を含む、請求項１〜７のいずれか一項に記載のカミソリカートリッジ。
【請求項９】
前記印刷された支持構造が前記外面の面積の約１０％〜約９０％を覆う、請求項１〜８のいずれか一項に記載のカミソリカートリッジ。
【請求項１０】
前記印刷された支持構造がＵＶ硬化性インクを含む、請求項１〜９のいずれか一項に記載のカミソリカートリッジ。
【請求項１１】
カミソリカートリッジであって、
ａ．前記カートリッジの前方部分におけるガードと、前記カートリッジの後方部分におけるキャップと、前記ガードと前記キャップとの間に位置付けられる少なくとも１つのブレードと、上面と、前記上面に位置付けられる潤滑部材であって、外面を含み、前記外面が上面と下面とを含む潤滑部材と、
ｂ．前記潤滑部材の前記外面上の印刷された支持構造であって、前記外面の一部分を覆って前記潤滑部材に対する構造的完全性を提供する印刷された支持構造と、を含むカミソリカートリッジ。
【請求項１２】
前記印刷された支持構造が前記上面上に印刷されている請求項１１に記載のカミソリカートリッジ。
【請求項１３】
前記印刷された支持構造が、前記下面上に印刷されている請求項１１又は１２に記載のカミソリカートリッジ。
【請求項１４】
前記潤滑部材が前記キャップ上に位置付けられる、請求項１１から１３のいずれか一項に記載のカミソリカートリッジ。
【請求項１５】
前記潤滑部材が前記ガード上に位置付けられる、請求項１１から１４のいずれか一項に記載のカミソリカートリッジ。
【発明の詳細な説明】
【技術分野】
【０００１】
本発明はカミソリに関し、より詳細には、印刷された支持構造を伴う潤滑部材を有するカミソリカートリッジに関する。
【背景技術】
【０００２】
剃毛の間に潤滑効果を提供するために剃刀のブレードに剃毛補助剤を使用することは、既知である。例えば以下の文献、米国特許第７，１２１，７５４号、同第６，２９８，５５８号、同第５，７１１，０７６号、同第５，１３４，７７５号、同第６，３０１，７８５号、並びに米国公開特許出願第２００９／０２２３０５７号及び同第２００６／０２２５２８５号を参照されたい。またこれらの剃毛補助剤は一般的に潤滑ストリップ又は潤滑部材とも呼ばれる。これらのタイプの潤滑ストリップは剃毛業界において何年間も用いられている。ストリップは典型的に押出成形されて非常に費用対効果の高いものになっている。また２つ以上の色で押出成形されて、視覚効果及び機能的効果の両方を得ている場合がある。視覚効果は押出成形機の能力によって制限されている。
【０００３】
押出成形された潤滑部材は典型的に、固体ポリマーマトリックスで形成されている。固体ポリマーマトリックスには、水溶性ポリマーと非水溶性ポリマーとが含まれる。非水溶性ポリマーによって潤滑部材に構造的完全性がもたらされる。潤滑部材中の水溶性ポリマーの量は、非水溶性ポリマーによって提供される構造的完全性に対する必要性によって制限される。このバランスによって本来的に、潤滑部材中の水溶性ポリマーの量が制限される。
【０００４】
潤滑効果を与えるための異なる構造も試みられている。このような構造の１つは、カミソリカートリッジに取り付けられたリザーバである。リザーバには潤滑剤が乾燥形態で収容されている。リザーバの皮膚係合面には複数のアパーチャが含まれている。アパーチャによってリザーバに水が入ることができる。リザーバに入るとすぐに、水は乾燥した潤滑剤と相互作用して潤滑剤を作りだし、リザーバからアパーチャを通して流れ出て、剃毛中にユーザーに潤滑剤を提供する。リザーバは潤滑剤に対する支持構造を提供し、剃毛中に潤滑剤をユーザーに送出することができる。このようなリザーバは潤滑剤に対する構造支持体を提供するが、押出成形された潤滑ストリップと比べて高コスト及び組立の不都合の問題がある。
【先行技術文献】
【特許文献】
【０００５】
【特許文献１】米国特許第７，１２１，７５４号
【特許文献２】米国特許第６，２９８，５５８号
【特許文献３】米国特許第５，７１１，０７６号
【特許文献４】米国特許第５，１３４，７７５号
【特許文献５】米国特許第６，３０１，７８５号
【特許文献６】米国公開特許出願第２００９／０２２３０５７号
【特許文献７】米国公開特許出願第２００６／０２２５２８５号
【発明の概要】
【発明が解決しようとする課題】
【０００６】
本発明の目的は、リザーバに付随する高コスト及び複雑さを伴わずに潤滑部材に対する構造的完全性を提供する印刷された支持構造を伴う潤滑部材を提供することである。
【課題を解決するための手段】
【０００７】
本発明の態様はカミソリカートリッジに関する。カミソリカートリッジは、カートリッジの前方部分におけるガードと、カートリッジの後方部分におけるキャップと、ガードとキャップとの間に位置する少なくとも１つのブレードと、上面と、上面に位置する潤滑部材であって、ある面積を有する外面を有する潤滑部材と、を含んでいる。外面は可視又は上面と不可視又は下面とを含んでいる。印刷された支持構造は潤滑部材の外面上に提供される。印刷された支持構造は潤滑部材の外面の一部分を覆って潤滑部材に対する構造的完全性を提供する。
【０００８】
印刷された支持構造は可視表面及び／又は不可視表面上に印刷されていてもよい。
【０００９】
潤滑部材は、前記キャップ上に、ガード上に、又はブレードを囲むリングの形態で位置してもよい。
【００１０】
印刷された支持構造はパターンの形態であってもよい。
【００１１】
印刷された支持構造は複数の印刷された液滴を備える。
【００１２】
印刷された支持構造は外面の面積の約１０％〜約９０％を覆っており、より好ましくは、印刷された支持構造は外面の面積の約３０％〜約７０％を覆っており、最も好ましくは、印刷された支持構造は外面の面積の約４０％〜約６０％を覆っている。
【００１３】
印刷された支持構造はＵＶ硬化性インクを含んでいる。
【００１４】
カミソリカートリッジは、前記カートリッジの前方部分におけるガードと、カートリッジの後方部分におけるキャップと、ガードとキャップとの間に位置する少なくとも１つのブレードと、上面と、上面に位置する潤滑部材であって、領域を伴う外面を有する潤滑部材と、を含んでいる。外面は上面と下面とを備える。印刷された支持構造が潤滑部材上に提供されている。印刷された支持構造は潤滑部材の外面の一部を覆って潤滑部材に対する構造的完全性を提供している。印刷された支持構造を潤滑部材の下面及び／又は上面上に印刷してもよい。
【図面の簡単な説明】
【００１５】
明細書は請求項で終わっており、請求項では特に、本発明を形成すると考えられる対象物を指し示して明確に主張しているが、本発明は以下の説明とともに添付図面を参照することでより良好に理解されると考えられる。図面では、実質的に同一の要素を指定するために同様の記号を用いている。
【図１】本発明のカミソリカートリッジの斜視図である。
【図２】図１の線２−２に沿った断面図である。
【図３】本発明の潤滑部材の斜視図である。
【図４】図３に示す潤滑部材の一部の拡大図である。
【図５】本発明の印刷プロセスの側面図である。
【図６】本発明の印刷プロセスの側面図である。
【図７】本発明の別のカミソリカートリッジの斜視図である。
【図７ａ】図７のカミソリカートリッジの潤滑部材の斜視図である。
【図７ｂ】図７のカミソリカートリッジの潤滑部材の斜視図である。
【図８】本発明の別のカミソリカートリッジの斜視図である。
【図８ａ】図８のカミソリカートリッジの潤滑部材の斜視図である。
【図９】本発明の別のカミソリカートリッジの斜視図である。
【図１０】図９のカミソリカートリッジの潤滑部材の斜視図である。
【図１１】図１０に示す潤滑部材の一部の拡大図である。
【図１２】潤滑部材上で行なったテストの結果を示すグラフである。
【発明を実施するための形態】
【００１６】
図１〜図３を参照すると、カミソリカートリッジ１４は、カートリッジ１４の前方部分に位置するガード１６と、カートリッジ１４の後方部分に位置するキャップ１８と、ガード１６とキャップ１８との間に位置するブレード２０と、を含んでいる。カートリッジ１４は、上面２２と、対向する下面２４とを含んでいる。潤滑部材３０は、カートリッジ１４の上面２２上に位置している。潤滑部材３０は外面３１を含んでいる。外面３１は、可視又は上面３２と不可視又は下面３３とを含んでいる。可視又は上面３２は、カートリッジ１４を見たときにユーザーに見える外面３１の部分である。不可視表面又は下面３３は、カートリッジ１４を見たときにユーザーには見えない外面３１の部分である。
【００１７】
ガード１６は、ユーザーの皮膚と係合するための１つ以上の細長い柔軟な突出部１７を含んでいてもよい。柔軟な突出部１７は、１つ以上の細長いブレード２０と概して平行な柔軟なフィンを含んでいる。別の実施形態では、柔軟なフィンは、１つ以上の細長い端部と概して平行ではない少なくとも１つの部分を含んでいる。好適なガードの非限定的な例としては、現在のカミソリブレードで用いられているものが挙げられ、米国特許第７，６０７，２３０号及び同第７，０２４，７７６号（エラストマーの／柔軟なフィンバーを開示している）、米国公開特許出願公開第２００８／００３４５９０号（湾曲したガードフィンを開示している）、並びに同第２００９／００４９６９５  Ａ１号（上の面と下の面との間に延びる少なくとも１つの通路を形成するガードを有するエラストマーガードを開示している）に開示されているものが含まれる。
【００１８】
潤滑部材３０は、ガード１６、キャップ１８、及びブレード２０とともに、カートリッジ１４の皮膚係合部分を構成している。潤滑部材３０は好ましくは、開口部内に又はプレート若しくはカートリッジ１４の他の表面上に（接着剤、取り付け具、又は溶融接合を介して）係止されている。
【００１９】
除毛プロセス中に潤滑部材３０が皮膚に、ブレードの前方及び／若しくは後方で並びに／又は前方部分と後方部分との間でカートリッジの側面に沿って、接触又は係合するように、潤滑部材３０はカートリッジ上に配置されている。例えば、１つ以上の細長いブレード端の「前方」にある特徴部は、カートリッジ又は除毛デバイスによって扱うべき表面が、細長いブレード端部に直面する前に特徴部に直面するように位置する。細長い端の「後方」にある特徴部は、カートリッジ又は除毛デバイスによって扱うべき表面が、細長いブレード端に直面した後に特徴部に直面するように位置する。図１〜図２では、潤滑部材３０はブレード２０の後方のキャップ１８上に位置する。２つ以上の潤滑部材がカートリッジ上に提供される場合、潤滑部材は同じものとすることができ、又は異なるものとすることもできる。異なるとは、異なるサイズ、異なる形状、異なる組成、及び／又は異なる機能を有しているということを意味する。
【００２０】
一実施形態では、潤滑部材３０は、融点が約１５０℃〜約２５０℃の水溶性ポリマー材料と任意選択的に非水溶性ポリマー材料とを含む固体ポリマーマトリックスを含んでいる。一実施形態では、マトリックスは、ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物のうちの少なくとも１つを含む水溶性ポリマーを含む。一実施形態では、前記水溶性ポリマーは、ポリエチレンオキシド、ポリエチレングリコール、及びこれらの混合物からなる群から選択される。
【００２１】
潤滑部材３０は、Ｇｉｌｌｅｔｔｅ、Ｓｃｈｉｃｋ、又はＢＩＣ製のカミソリカートリッジで用いられているものなどの市販の潤滑部材内に一般に見出される他の成分を含んでいてもよい。このような潤滑部材の非限定的な例としては、米国特許第６，３０１，７８５号、同第６，４４２，８３９号、同第６、２９８、５５８号、及び第６、３０２、７８５号、並びに米国特許公開第２００８／０６０２０１号、及び同第２００９／０２２３０５７号に開示されるものが挙げられる。また潤滑部材は、以下。ポリエチレンオキシド、ポリビニルピロリドン、ポリアクリルアミド、ヒドロキシプロピルセルロース、ポリビニルイミダゾリン、ポリエチレングリコール、ポリビニルアルコール、ポリヒドロキシエチルメタクリレート、シリコーン共重合体、スクロースステアレート、ビタミンＥ、石鹸、界面活性剤、パンテノール、アロエ、ポリエチレングリコール等の可塑剤、あごひげ軟化剤、シリコーンオイル、Ｔｅｆｌｏｎ（登録商標）ポリテトラフルオロエチレン粉末（ＤｕＰｏｎｔ製）、及びワックス等の追加の潤滑剤、メントール、樟脳、オイゲノール、ユーカリプトール、サフロール、及びサリチル酸メチル等の精油、Ｈｅｒｃｕｌｅｓ  Ｒｅｇａｌｒｅｚ  １０９４及び１１２６等の粘着付与剤、不揮発性冷却剤、シクロデキストリンを伴う皮膚鎮静剤の包接錯体；芳香剤；かゆみ止め／反対刺激材料；レゾルシノール等の抗菌性／角質溶解材料、Ｃａｎｄｉｌｌａワックス及びグリチルレチン酸等の抗炎症剤、硫酸亜鉛等の収斂剤、プルロニック及びイコノール材料等の界面活性剤、スチレン−ｂ−ＥＯコポリマー等の相溶化剤、鉱油、ポリカプロラクトン（ＰＣＬ）、並びにそれらの組み合わせからなる群から選択される成分を含んでいてもよい。
【００２２】
水溶性ポリマーは好ましくは、皮膚係合部材の少なくとも５０重量％、より好ましくは少なくとも重量６０％を構成し、マトリックスの最大で約９９％、又は最大で約９０％を構成する。より好ましい水溶性ポリマーは、ＰＯＬＹＯＸ（Ｄｏｗから入手可能）又はＡＬＫＯＸ（Ｍｅｉｓｅｉ  Ｃｈｅｍｉｃａｌ  Ｗｏｒｋｓ（日本、京都）から入手可能）として広く知られるポリエチレンオキシドである。これらのポリエチレンオキシドは好ましくは、約１００，０００〜６００万、最も好ましくは約３００，０００〜５００万の分子量を有するであろう。最も好ましいポリエチレンオキシドは、約４０〜８０％の、平均分子量約５００万のポリエチレンオキシド（例えばＰＯＬＹＯＸ  ＣＯＡＧＵＬＡＮＴ）及び約６０〜２０％の、平均分子量約３００，０００のポリエチレンオキシド（例えばＰＯＬＹＯＸ  ＷＳＲ−Ｎ−７５０）のブレンドを含む。また、ポリエチレンオキシドブレンドは、有利に、最大約１０重量％のＰＥＧ−１００等の低分子量（即ち、ＭＷ＜１０，０００）ポリエチレングリコールも含有する。
【００２３】
マトリックスは、約０．５％〜約５０％、好ましくは約１％〜約２０％のポリカプロラクトン（好ましくは、分子量３０，０００〜６０，０００ダルトン）を含んでいてもよい。米国特許第６、３０２、７８５を参照のこと。
【００２４】
潤滑部材は、ポリエチレングリコール（ＭＷ＜１０，０００、例えば、１〜１０重量％のＰＥＧ−１００）、水膨潤性放出促進剤、例えば架橋ポリアクリリック（例えば、２〜７重量％）、着色剤、酸化防止剤、防腐剤、ビタミンＥ、アロエ、冷却剤、精油、あごひげ軟化剤、収斂剤、薬剤などの低分子量水溶性放出促進剤、などの他の従来の成分を含有してもよい。
【００２５】
マトリックスは更に、水溶性ポリマーが分散された非水溶性ポリマーを含むことができる。好ましくは、約０重量％〜約５０重量％、より好ましくは、約５重量％〜約４０重量％、及び最も好ましくは、約１５重量％〜約３５重量％のレベルの皮膚係合部材が非水溶性ポリマーである。利用できる好適な非水溶性ポリマーとしては、ポリエチレン（ＰＥ）、ポリプロピレン、ポリスチレン（ＰＳ）、ブタジエンスチレンコポリマー（例えば、中衝撃及び高衝撃ポリスチレン）、ポリアセタール、アクリロニトリルブタジエンスチレンコポリマー、エチレンビニルアセテートコポリマー、ポリウレタン、及びポリプロピレン／ポリスチレンブレンド又はポリスチレン／衝撃ポリスチレンブレンドなどのそれらのブレンドが挙げられる。
【００２６】
好ましい１つの非水溶性ポリマーは、ポリスチレン、好ましくはＩｎｅｏｓからのＳｔｙｒｅｎｉｃｓ  ５４１０（即ち、ポリスチレン−ブタジエン）等、ＢＡＳＦ  ４９５Ｆ  ＫＧ２１等の汎用ポリスチレン又は高耐衝撃性ポリスチレンである。非水溶性ポリマーによって、製造用及び使用中の潤滑部材に対する機械的強度が得られる。
【００２７】
潤滑部材の形成は、押出成形又は射出成形、コンパクティング、超音波又は高周波焼結、及びスロットコーティングなどの別の高温処理によって作製されてもよい。
【００２８】
潤滑部材のブレンドされた成分の押出成形を、Ｈａａｋｅ  Ｓｙｓｔｅｍ  ９０、直径１．９ｃｍ（3／4インチ）直径の押出成形機を通して、約７〜１４ＭＰａ（１０００〜２０００ｐｓｉ）のバレル圧力、約１０〜５０ｒｐｍのローター速度、約１５０℃〜１８５℃の温度、及び約１７０℃〜１８５℃のダイ温度で押出成形してもよい。あるいは、３．１８ｃｍ（１1／4インチ）のシングルスクリュー押出成形機を、１７５℃〜２００℃、好ましくは１８５℃〜１９０℃の処理温度、２０〜５０ｒｐｍ、好ましくは２５〜３５ｒｐｍのスクリュー速度、及び１２〜３４ＭＰａ（１８００〜５０００ｐｓｉ）、好ましくは１４〜２４ＭＰａ（２０００〜３５００ｐｓｉ）の押出圧力で採用してもよい。押出成形されたストリップは、約２５℃まで空冷される。ストリップを射出成形するために、最初に粉末ブレンドをペレットへと押出成形することが好ましい。これは、３．１８又は３．８ｃｍ（１1／4又は１1／2インチ）のシングルスクリュー押出成形機で、１２０℃〜１８０℃、好ましくは１４０℃〜１５０℃の温度で、２０〜１００ｒｐｍ、好ましくは４５〜７０ｒｐｍのスクリュー速度で行なうことができる。次にペレットを、単一材料成形機又は多材料成形機（シングルキャビティであっても又はマルチキャビティであってもよく、任意選択的にホットランナーシステムを備えていてもよい）で成形する。プロセス温度は、１６５℃〜２５０℃、好ましくは、１８０℃〜２２５℃とすることができる。射出圧は、フラッシングを作り出すことなく部品を完全に充填するのに十分であるべきである。キャビティのサイズ、構成、及び数量に応じて、射出圧力は、２〜１７ＭＰａ（３００〜２５００ｐｓｉ）の範囲とすることができる。サイクル時間は、同じパラメータに依存し、３〜３０秒の範囲とすることができ、最適には通常約６〜１５秒の範囲とすることができる。一実施形態では、１つ以上の投入物を予熱することができる、又はそれらを周囲温度で投入することができる。
【００２９】
一実施形態では、潤滑部材は石鹸製剤であり、その形状を形成するために成形することができる。好適な石鹸製剤の非限定的な例としては、Ｖｅｎｕｓ  Ｂｒｅｅｚｅ（登録商標）製品ラインの２−ｉｎ−１カミソリに存在する石鹸ウィング、及び／又はカミソリのＳｃｈｉｃｋ（登録商標）Ｉｎｔｕｉｔｉｏｎ（登録商標）カミソリの製品ラインの保湿固体が挙げられる。
【００３０】
潤滑部材３０の外面３１は、印刷された支持構造３４を含んでいる。図３に示す印刷された支持構造３４は、潤滑部材３０の外面３１の一部分を覆うパターンの形態である。印刷された支持構造３４は潤滑部材３０の不可視又は下面３３の一部分を覆っている。
【００３１】
印刷された支持構造３４は、潤滑部材３０に、潤滑部材を製造中に取り扱い、またカートリッジ１４に固定するための構造的完全性を提供する。印刷された支持構造３４は、使用中、特に剃毛中に水と接触したときにも、潤滑部材３０に構造的完全性を提供する。潤滑部材３０に対して構造的完全性を提供する一方で、支持構造３４が、潤滑部材３０に中に含まれる水溶性ポリマーを大量に付加することができるようにする。
【００３２】
印刷された支持構造３４は、好ましくは外面の面積の約１０％〜約９０％を覆っており、より好ましくは、外面の面積の約３０％〜約７０％を覆っており、最も好ましくは、外面の面積の約４０％〜約６０％を覆っている。
【００３３】
次に図４を参照すると、外面３１上の印刷された支持構造３４は複数の印刷された液滴３８を含んでいる。印刷された液滴３８のサイズは、印刷された支持構造３４の全体を通して一貫していてもよい。印刷された液滴３８のサイズは、印刷された支持構造の全体を通して変化していてもよい。
【００３４】
印刷された液滴は、印刷ヘッド、ノズル、及び他のタイプの材料堆積デバイスが挙げられるが、これに限らない、好適なタイプのデバイスを用いて適用されてもよい。インクジェット印刷ヘッドが挙げられるが、これに限らない、任意の好適なタイプの印刷ヘッドを用いることができる。ある実施形態では、堆積デバイスはインクジェット印刷ヘッドである。印刷ヘッドは、非接触のデジタルタイプの堆積デバイスであってもよい。「非接触」とは、印刷ヘッドが印刷すべき表面に接触しないということを意味する。「デジタル」とは、印刷ヘッドが、言葉、図（例えば、画像）、又はデザインの形態のパターンを形成するように、インクの液滴を必要とされる場所にのみ適用することができることを意味する。
【００３５】
インクジェット印刷ヘッドは典型的に複数のノズルを含むことになる。ノズルは、概して列をなして並べられて、他のノズルの特定の方向と概して平行な特定の方向にインクを噴射するように構成されている。印刷ヘッド上の各列内のノズルを、直線的に並べることができる。あるいは、ノズルは、印刷ヘッドの長い方の寸法（又は長さ）に対して斜めに配向された１つ以上の列をなしていてもよい。このようなノズル配列は両方とも、実質的に直線的に配列されていると考えることができる。インクジェット印刷ヘッドは、任意の好適な数及び配列のノズルをその内部に含むことができる。１つの好適なインクジェット印刷ヘッドは、１センチメートル当たり約１４２個（１インチ当たり３６０個）のノズルを含んでいる。Ｘａａｒ  １００１は、本明細書で用いる好適な印刷ヘッドの例であり、Ｘａａｒ（英国、ケンブリッジ）から入手可能である。
【００３６】
インクの液滴は、約１０マイクロメートル以下〜約２００マイクロメートル、又はそれ以上の範囲の直径とすることができる。インクの液滴を、所定の領域にわたって任意の好適な数で分配することができる。典型的に、インクジェット印刷では、インク液滴はマトリックスを構成し、そこではインチ当たりの液滴の数（ＤＰＩ）が、印刷ヘッド又は印刷すべき物品の動きの方向及びそれに垂直な物品の表面上の方向で特定される。ベタ画像を形成するために潤滑部材の表面上に提供されるインク液滴の適用は、少なくとも１つの方向において、インチ当たりの液滴の数（ＤＰＩ）で約８０以下から最大で約２，８８０以上の範囲とすることができる。
【００３７】
装置は、任意の好適な数、配列、及びタイプの印刷ヘッドを伴う印刷装置を備えることができる。例えば、装置は１〜２０それ以上の印刷ヘッドを含んでいてもよい。印刷ヘッドは、離間した関係で配列されてもよい。あるいは、印刷ヘッドの１つ以上を印刷ヘッドの別の１つと隣接し、かつこれと接触して位置させてもよい。
【００３８】
２つ以上の印刷ヘッドが存在する場合、異なる印刷ヘッドは、シアン、マゼンタ、黄色、及び黒色、又は所望の色の任意の他の組み合わせを印刷することができる。
【００３９】
他のタイプの適用技法も用いてもよい。他の適用技法の例としては、噴霧、ローラー印刷、ローリング、転写印刷、及びレーザー印刷が挙げられるがこれらに限定されない。適用技法は、潤滑部材上に直接転送されて潤滑部材に構造的完全性を提供するインク又は物質を送達することである。
【００４０】
本発明のインクは好ましくは紫外線（ＵＶ）硬化性インクである。ＵＶ硬化性インクは概して紫外線に露出されると重合反応（例えば硬化）を開始する感光性分子を伴うモノマー／オリゴマーベースである。この反応は、いったんインクが基材上に着陸したら、ほぼ瞬間的である。硬化中に起こる架橋結合が、基材への接着が良好な耐久性のあるインクを提供する。
【００４１】
利用してもよいＵＶ硬化性インクの好適なタイプとしては、遊離基及び陽イオンが挙げられる。遊離基及び陽イオンＵＶインクは両方とも、紫外線に露出されると硬化される。遊離基インクが紫外線に露出されると、光開始剤が紫外線を吸収して、二重結合と反応して、鎖反応及び重合を起こす遊離基を発生させる。陽イオンインクが紫外線に露出されると、光開始剤が紫外線を吸収して、エポキシ基と反応して、重合をもたらすルイス酸を発生させる。
【００４２】
他のタイプのＵＶ硬化性インクも用いてよい。このようなＵＶ硬化性インクの例としては、ハイブリッドＵＶ／水インク及びハイブリッドＵＶ／オイルインクが挙げられるが、これらに限定されない。
【００４３】
ＵＶ硬化性インクの硬化速度が速いことは、非常に速い動作速度につながる。そのため、ＵＶ硬化性インクは、有利にも、他のインクシステムでは必要になる過剰に大きな乾燥器を考慮する必要なく高速製造機器上で実行することができる。また硬化速度が急速であるために、各層の後に基材を動かす必要なく、複数の層を連続して提供するためにＵＶ硬化性インクを用いることも可能である。この結果として、高低差、構造、模様付け、及び色を容易に取り入れることができる。
【００４４】
図５を参照すると、潤滑部材３０を押出成形する押出成形機７０が示される。図４に示すように、複数の印刷ヘッドを収容している印刷ステーション７２は、インクを液滴３８の形態で潤滑部材３０上に印刷する。照明ユニット７３は紫外線を潤滑部材３０に向けて送ってインクを硬化させる。潤滑部材は、巻き上げロール７６によって巻き取られるまで、ローラー７４によって支持される。
【００４５】
この例では、押出成形によって潤滑部材が提供された後、支持構造が潤滑部材の外面に適用される。潤滑部材を、型成形などの他の技法によって提供してもよい。支持構造を前述の技法によって適用してもよい。
【００４６】
図６を参照すると、図１に示すような、独立したカートリッジ１４を運ぶウェブ８０が示される。カートリッジ１４は、図４に示すように、インクを液滴３８の形態で潤滑部材３０上に印刷する印刷ステーション８２、８４、及び８６の下を進む。照明ユニット８７は紫外線をカートリッジ１４に向けて送ってインクを硬化させる。次に、ウェブ８０によってカートリッジ１４を次の処理ステーションに送ることができる。
【００４７】
図７を参照すると、カミソリカートリッジ１４は、カートリッジ１４の前方部分に位置するガード１６と、カートリッジ１４の後方部分に位置するキャップ１８と、ガード１６とキャップ１８との間に位置するブレード２０とを含んでいる。カートリッジ１４は、上面２２と、対向する下面２４とを含んでいる。潤滑部材３０は、カートリッジ１４の上面２２上に位置している。潤滑部材３０はそれぞれ、可視又は上面３２を有している。ガード１６は、１つ以上の細長いブレード２０に概して平行に延びる柔軟なフィンの形態の柔軟な突出部１７を含んでいる。
【００４８】
潤滑部材３０は、ガード１６、キャップ１８、及びブレード２０とともに、カートリッジ１４の皮膚係合部分を形成している。潤滑部材３０は、除毛プロセス中に潤滑部材３０が皮膚に接触又は係合するように、カートリッジ上に配置されている。潤滑部材３０はブレード２０の前方及び後方の両方に位置している。潤滑部材３０は、ガード１６及びキャップ１８それぞれの上に位置する。
【００４９】
潤滑部材３０の可視表面３２は、印刷された支持構造３４を含んでいる。図７及び図７ａを参照すると、ガード１６内の潤滑部材３０の外面３１上の印刷された支持構造３４は、潤滑部材３０の可視又は上面３２及び不可視又は下面３３の長さに沿って延びる、複数の離間したセグメントを備えている。ガード上の複数の離間した支持構造３４はパターンを形成している。図７及び図７ｂを参照すると、キャップ１８内の潤滑部材３０の外面３１上の印刷された支持構造３４は、連続ストリップであって、潤滑部材３０の可視又は上面３２の長さに沿い、かつ不可視又は下面３３の長さに沿って延びる連続ストリップを備えている。図４に示すように、印刷された支持構造３４は複数の別個の印刷された液滴３８を含んでいる。印刷された支持構造３４を上面３２上にのみ有していることが望ましい場合がある。あるいは、印刷された支持構造３４を下面３４上にのみ有していることが望ましい場合がある。
【００５０】
図８及び図８ａを参照すると、カミソリカートリッジ１４は、カートリッジ１４の前方部分に位置するガード１６と、カートリッジ１４の後方部分に位置するキャップ１８と、ガード１６とキャップ１８との間に位置するブレード２０とを含んでいる。カートリッジ１４は、上面２２と、対向する下面２４とを含んでいる。潤滑部材３０は、カートリッジ１４の上面２２上に位置している。潤滑部材３０は、可視又は上面３２を有している。ガード１６は、１つ以上の細長いブレード２０に概して平行に延びる柔軟なフィンの形態の柔軟な突出部１７を含んでいる。
【００５１】
潤滑部材３０は、ガード１６、キャップ１８、及びブレード２０とともに、カートリッジ１４の皮膚係合部分を構成している。潤滑部材３０は、除毛プロセス中に潤滑部材３０が皮膚に接触又は係合するようにカートリッジ上に配置されている。潤滑部材３０は、ブレード２０を囲むリングの形態である。
【００５２】
潤滑部材３０の可視表面３２は、印刷された支持構造３４を含んでいる。潤滑部材３０の可視又は上面上の印刷された支持構造３４は、離間したセグメントの形態である。印刷された支持構造３４はパターンとなっている。図８及び図８ａを参照すると、潤滑部材３０の外面３１上の印刷された支持構造３４は、潤滑部材３０の可視又は上面３２及び不可視又は下面３３の長さに沿って位置する複数の離間したセグメントを備えている。ガード上の複数の離間に配置された支持構造３４は、パターンを形成している。図４に示すように、印刷された支持構造３４は複数の別個の印刷された液滴３８を備えている。
【００５３】
図９〜図１１を参照すると、カミソリカートリッジ１４は、カートリッジ１４の前方部分に位置するガード１６と、カートリッジ１４の後方部分に位置するキャップ１８と、ガード１６とキャップ１８との間に位置するブレード２０とを含んでいる。カートリッジ１４は、上面２２と、対向する下面２４とを含んでいる。潤滑部材３０は、カートリッジ１４の上面２２上に位置している。潤滑部材３０は外面３１を備える。ガード１６は、１つ以上の細長いブレード２０に概して平行に延びる柔軟なフィンの形態の柔軟な突出部１７を含んでいる。
【００５４】
潤滑部材３０は、ガード１６、キャップ１８、及びブレード２０とともに、カートリッジ１４の皮膚係合部分を形成している。潤滑部材３０は、除毛プロセス中に潤滑部材３０が皮膚に接触又は係合するようにカートリッジ上に配置されている。潤滑部材３０はブレード２０の後方に位置している。潤滑部材３０はキャップ１８上に位置している。
【００５５】
潤滑部材３０の外面３１は、可視又は上面３２と不可視又は下面３３とを備えている。潤滑部材３０の外面３１は、印刷された支持構造３４を含んでいる。潤滑部材３０の外面３１の不可視表面又は下面３３は、印刷された支持構造３４を含んでいる。印刷された支持構造３４は、不可視表面又は下面３３を覆うベタ印刷又は連続的な印刷である。図１１に示すように、印刷された支持構造３４は複数の別個の印刷された液滴３８を備えている。隣接する別個の液滴３８は互いに重なり合って、不可視又は下面３３に沿ってベタの連続的な印刷を提供している。このような構造は、潤滑部材３０が可視又は上面３２のみから浸出することができるようにする。
【００５６】
いくつかの潤滑部材をテストして、印刷された支持構造が、水に浸けたときに潤滑部材に対して有する効果を判定した。２つの異なる潤滑部材をテストした。各潤滑部材は同じ配合物であった。唯一の変数は、一方の潤滑部材は印刷された支持構造を有しておらず、もう一方の潤滑部材は印刷された支持構造を有していることであった。印刷された支持構造を伴う潤滑部材は、図１０に示すものと同様であった。各潤滑部材を水に浸けて、曲率測定を数多くの時間間隔で行なった。実験結果を図１２に示す。図からわかるように、印刷された支持構造を伴わない潤滑部材の曲率は、直線より上方及び下方の両方において、印刷された支持構造を伴う潤滑部材よりもより大きくなった。すなわち、印刷された支持構造を伴わない潤滑部材は、初期の期間にある方向に湾曲した後で、後の期間では反対方向に曲がった。剃毛中に湾曲するか又は曲がる潤滑部材は、望ましくない不快な消費者経験を提供する可能性が高い。
【００５７】
本明細書の全体を通して記載される全ての最大数値限定は、それよりも小さい数値限定を、そのようなより小さい数値限定があたかも本明細書に明確に記載されているものと同様にして包含するものと理解すべきである。本明細書の全体を通して与えられるあらゆる最小数値の限定は、それよりも大きいあらゆる数値限定を、こうしたより大きい数値限定があたかも本明細書に明確に記載されているかのように含むものである。本明細書の全体を通して与えられるあらゆる数値範囲は、こうしたより広い数値範囲内に含まれるあらゆるより狭い数値範囲を、こうしたより狭い数値範囲があたかも本明細書にいずれも明確に記載されているかのように含むものである。
【００５８】
特にそうでない旨の断りのない限り、本明細書、実施例、及び特許請求の範囲における明細書中の全ての部、比、及び百分率は、重量基準であり、全ての数値限定は、当該分野で可能な通常の程度の精度で用いられる。
【００５９】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【００６０】
相互参照される又は関連する任意の特許又は特許出願、及び本願が優先権又はその利益を主張する任意の特許出願又は特許等の、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明のいずれかを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００６１】
本発明の特定の実施形態を例示及び説明してきたが、本発明の趣旨及び範囲から逸脱せずに、他の様々な変更及び修正を行なうことができることは当業者には明白であろう。したがって、本発明の範囲内に含まれるそのような全ての変更及び修正は、添付の特許請求の範囲にて網羅することが意図される。
【図１】
2018501014.tif 000003
【図２】
2018501014.tif 000004
【図３】
2018501014.tif 000005
【図４】
2018501014.tif 000006
【図５】
2018501014.tif 000007
【図６】
2018501014.tif 000008
【図７】
2018501014.tif 000009
【図７ａ】
2018501014.tif 000010
【図７ｂ】
2018501014.tif 000011
【図８】
2018501014.tif 000012
【図８ａ】
2018501014.tif 000013
【図９】
2018501014.tif 000014
【図１０】
2018501014.tif 000015
【図１１】
2018501014.tif 000016
【図１２】
2018501014.tif 000017
【国際調査報告】
2018501014.tif 000018
2018501014.tif 000019
2018501014.tif 000020